(57)【特許請求の範囲】
【請求項１】
平面視Ｌ字状のサニタリールームと平面視矩形状の部屋とが構造壁ではない間仕切壁を介して平面視凹状となるように配置されており、
前記平面視凹状の窪んだ部分が外部に開放された中庭とされ、
前記中庭に面する前記サニタリールームを形成する外壁と前記部屋を形成する外壁との双方には、それぞれ前記中庭と、サニタリールームおよび部屋とを行き来可能とする開口部が形成されていることを特徴とする建物。
【請求項２】
請求項１に記載の建物において、
前記サニタリールームを形成する内壁が、前記間仕切壁と直交して配置されており、
前記内壁には、前記サニタリールームに出入りするための出入口が前記間仕切壁の端部から前記出入口の幅とほぼ等しい幅だけ離間して形成されていることを特徴とする建物。
【請求項３】
請求項１または２に記載の建物において、
前記間仕切壁の少なくとも一方側には前記サニタリールーム用または部屋用の収納部が設けられていることを特徴とする建物。
【請求項４】
請求項１または２に記載の建物において、
前記間仕切壁には、戸が設けられていることを特徴とする建物。
【請求項５】
請求項１〜４のいずれか一項に記載の建物において、
前記サニタリールームの床面と、前記部屋の床面とはほぼ面一になっていることを特徴とする建物。
【発明の詳細な説明】
【技術分野】
【０００１】
本発明は、サニタリールームと部屋とが構造壁ではない間仕切壁を介して配置された建物に関する。
【背景技術】
【０００２】
浴室、トイレ、洗面室等からなるサニタリールームと部屋とを連続して配置した建物の一例として、特許文献１に記載のものが知られている。
この特許文献１に記載の建物では、サニタリールームと部屋との間の壁に出入口が設けられており、この出入口を介して、住人はサニタリールームと部屋とを行き来できるようになっている。
【特許文献１】特開２００３−１３８７６２号公報
【発明の開示】
【発明が解決しようとする課題】
【０００３】
ところで、上記従来の建物では、サニタリールームと部屋との間の壁に予め出入口が設けられているため、部屋とサニタリールームとを行き来できるが、その反面、サニタリールームでの騒音が出入口を介して部屋に伝わり易いという問題がある。
前記部屋が高齢者や要介護者専用の部屋であれば、部屋からサニタリールームに直接出入りできるように、予め出入口を設けておくことが必要であるが、住人に高齢者や要介護者がいない場合は前記出入口を予め設けることなく、将来的に高齢者や要介護者が生じた場合に前記出入口を設けたいという要望がある。
また、上記従来の建物では、サニタリールームと部屋との双方から建物の外部に直接アクセスできるようになっていないため不便なことがあった。
【０００４】
本発明は上記事情に鑑みてなされたもので、将来的にサニタリールームと部屋とを行き来できるようにすることができるとともに、サニタリールームと部屋との双方から建物の外部にアクセスできる建物を提供することを課題としている。
【課題を解決するための手段】
【０００５】
上記課題を解決するために、請求項１に記載の発明は、例えば図１に示すように、平面視Ｌ字状のサニタリールーム４と平面視矩形状の部屋５とが構造壁ではない間仕切壁６を介して平面視凹状となるように配置されており、
前記平面視凹状の窪んだ部分が外部に開放された中庭７とされ、
前記中庭７に面するサニタリールーム４を形成する外壁８と部屋５を形成する外壁１０との双方には、それぞれ前記中庭７と、サニタリールーム４および部屋５とを行き来可能とする開口部９，１１が形成されていることを特徴とする。
【０００６】
請求項１に記載の発明によれば、例えば図２に示すように、間仕切壁６を除去することによってサニタリールーム４と部屋５とが連通した状態になるので、将来的にサニタリールーム４と部屋５とを行き来できるようにすることができる。
また、外部に開放されている中庭７に面するサニタリールーム４を形成する外壁８と部屋５を形成する外壁１０との双方に、それぞれ中庭７と、サニタリールーム４および部屋５とを行き来可能とする開口部９，１１が形成されているので、中庭７を介して、サニタリールーム４と部屋５との双方から建物の外部にアクセスできる。
また、中庭７があるので、外部から直接サニタリールーム４や部屋５を覗かれることもない。
【０００７】
請求項２に記載の発明は、請求項１に記載の建物において、
前記サニタリールーム４を形成する内壁１２が、前記間仕切壁６と直交して配置されており、
前記内壁１２には、前記サニタリールーム４に出入りするための出入口１３が前記間仕切壁６の端部から前記出入口１３の幅とほぼ等しい幅だけ離間して形成されていることを特徴とする。
【０００８】
請求項２に記載の発明によれば、例えば図３に示すように、間仕切壁６を除去するとともに、前記出入口１３と間仕切壁６との間の内壁を除去することによって、前記出入口１３の２倍幅を有する新たな出入口１６を設けることができ、車椅子等で容易にサニタリールーム４および部屋５に出入りできる。
【０００９】
請求項３に記載の発明は、請求項１または２に記載の建物において、
前記間仕切壁６の少なくとも一方側には前記サニタリールーム用または部屋用の収納部１４が設けられていることを特徴とする。
【００１０】
請求項３に記載の発明によれば、間仕切壁６の少なくとも一方側に収納部１４が設けられているので、サニタリールーム４での騒音の一部はこの収納部１４に吸収され、よって、サニタリールーム４での騒音が部屋５に伝わり難くなる。
【００１１】
請求項４に記載の発明は、例えば図４に示すように、請求項１または２に記載の建物において、
前記間仕切壁６には、戸１７が設けられていることを特徴とする。
【００１２】
請求項４に記載の発明によれば、間仕切壁６に設けられた戸１７によって、サニタリールーム４と部屋５とを行き来できる。
【００１３】
請求項５に記載の発明は、請求項１〜４のいずれか一項に記載の建物において、
前記サニタリールーム４の床面と、前記部屋５の床面とはほぼ面一になっていることを特徴とする。
【００１４】
請求項５に記載の発明によれば、サニタリールーム４の床面と、部屋５の床面とがほぼ面一になっているので、間仕切壁６を除去することによってサニタリールーム４と部屋５とを連通した状態とした場合に、サニタリールーム４と部屋５とに床段差がなく、車椅子等でも容易に行き来できる。
【発明の効果】
【００１５】
本発明によれば、サニタリールームと部屋とが構造壁ではない間仕切壁を介して配置されているので、間仕切壁を除去することによってサニタリールームと部屋とを連通した状態にできる。したがって、将来的にサニタリールームと部屋とを行き来できるようにすることができる。
また、外部に開放されている中庭に面するサニタリールームを形成する外壁と部屋を形成する外壁との双方に、それぞれ前記中庭と、サニタリールームおよび部屋とを行き来可能とする開口部が形成されているので、中庭を介して、サニタリールームと部屋との双方から建物の外部にアクセスできる。
【発明を実施するための最良の形態】
【００１６】
以下図面を参照して本発明の実施の形態について説明する。
図１は本発明に係る建物の１階の平面図を示す。
建物の南東の角部には玄関１が設けられている。玄関１の玄関ホール１ａには東西に延在する廊下２の東側の端部が接続されており、該廊下２の南側には寝室３が配置されている。
【００１７】
前記廊下２の北側にはサニタリールーム４が配置されており、玄関ホール１ａの北側には部屋５が配置されている。サニタリールーム４は、洗面室兼トイレ４ａと、浴室４ｂとによって平面視Ｌ字状に構成されている。部屋５は矩形状に構成された和室であり、サニタリールーム４と構造壁でない間仕切壁６を介して連続して配置されている。
また、サニタリールーム４と部屋５とは平面視凹状となるように前記間仕切壁６を介して連続配置されている。そして、この平面視凹状の窪んだ部分が中庭７とされ、この中庭７は外部に開放されている。つまり、この中庭７は、平面視において、建物の北側の外部に向けて開放されている。
【００１８】
前記中庭７に面するサニタリールーム４を形成する外壁８には開口部９が形成されており、この開口部９を通して中庭７とサニタリールーム４とを行き来可能となっている。なお、開口部９には引違いサッシが設けられている。
また、前記中庭７に面する部屋５を形成する外壁１０には開口部１１が形成されており、この開口部１１を通して中庭７と部屋５とを行き来可能となっている。なお、開口部１１には引違いサッシが設けられている。
【００１９】
前記サニタリールーム４を形成する内壁１２、つまりサニタリールーム４と廊下２との間に設けられた内壁１２は、前記間仕切壁６と直交して配置されており、この内壁１２にはサニタリールーム４に出入りするための出入口１３が間仕切壁６の端部から出入口１３の幅とほぼ等しい幅だけ離間して形成されている。なお、この出入口１３には開き戸が設けられている。
【００２０】
また、前記間仕切壁６の一方の側（西側）には、収納部１４が設けられている。この収納部１４はサニタリールーム４用のものであり、例えば、洗濯機、掃除用具等が収納されている。収納部１４は床面から天井面までの高さを有するものであり、収納部１４の前面開口部には引戸が設けられている。
また、サニタリールーム４の床面と、部屋５の床面とはほぼ面一になっている。部屋５は、１畳程度の広さの導入部５ａを有しており、この導入部５ａが間仕切壁６を介してサニタリールーム４に隣接配置されている。そして、廊下２に面して設けられた開口部１５から導入部５ａに入り、この導入部５ａから部屋５に出入りするようになっている。
【００２１】
上記のような建物によれば以下のような効果を得ることができる。
図２に示すように、間仕切壁６を除去することによってサニタリールーム４と部屋５とが連通した状態になるので、将来的にサニタリールーム４と部屋５とを行き来できるようにすることができる。
また、外部に開放されている中庭７に面するサニタリールーム４を形成する外壁８と部屋５を形成する外壁１０との双方に、それぞれ前記中庭７と、サニタリールーム４および部屋５とを行き来可能とする開口部９，１１が形成されているので、中庭７を介して、サニタリールーム４と部屋５との双方から建物の外部にアクセスできる。
【００２２】
また、図３に示すように、間仕切壁６を除去するとともに、出入口１３と間仕切壁６との間の内壁を除去することによって、出入口１３の２倍幅を有する新たな出入口１６を設けることができ、車椅子等で容易にサニタリールーム４および部屋５に出入りできる。
また、間仕切壁６の一方側に収納部１４が設けられているので、サニタリールーム４での騒音の一部はこの収納部４に吸収され、よって、サニタリールーム４での騒音が部屋５に伝わり難くなる。
加えて、サニタリールーム４の床面と、部屋５の床面とがほぼ面一になっているので、間仕切壁６を除去することによってサニタリールーム４と部屋５とを連通した状態とした場合に、サニタリールーム４と部屋５とに床段差がなく、車椅子等でも容易に行き来できる。
【００２３】
なお、図４に示すように、前記間仕切壁６に開口部を設け、この開口部に引戸（戸）１７を設けてもよい。このようにすれば、間仕切壁６を除去する前でも、引戸１７によって、サニタリールーム４と部屋５とを行き来できる。
【図面の簡単な説明】
【００２４】
【図１】本発明に係る建物の一例を示すもので、その平面図である。
【図２】同、間仕切壁を除去した状態を示す建物の要部の平面図である。
【図３】同、間仕切壁と内壁を除去した状態を示す建物の要部の平面図である。
【図４】同、間仕切壁に引戸を設けた状態を示す建物の要部の平面図である。
【符号の説明】
【００２５】
４  サニタリールーム
５  部屋
６  間仕切壁
７  中庭
８，１０  外壁
９，１１  開口部
１２  内壁
１３  出入口
１４  収納部
１６  出入口
１７  引戸（戸）
【図１】
0004961326.tif 000002
【図２】
0004961326.tif 000003
【図３】
0004961326.tif 000004
【図４】
0004961326.tif 000005